(57)【要約】【課題】糸屑等が良好に捕集できる洗濯機を提供する。【解決手段】全自動洗濯機は、洗濯物を収容する洗濯脱水槽２２と、洗濯脱水槽２２の底部に回転自在に配置されるパルセータ２４と、洗濯脱水槽２２の側面部に形成され、パルセータ２４の回転により送られてきた水が下から上へと流れる環流水路２６と、環流水路２６に装着され、環流水路２６から洗濯脱水槽２２内に戻る水を流入口１２２から取り込んで通過させ、通過した水に含まれる糸屑等を捕集するフィルタユニット２８と、を備える。洗濯脱水槽２２は、胴部２２ａと、胴部２２ａの下部に取り付けられる底部２２ｂとを含み、フィルタユニット２８は、胴部２２ａと底部２２ｂとの間に跨るように洗濯脱水槽２２の下部に位置する。【選択図】図２
2016137154.tif 000002
【特許請求の範囲】
【請求項１】
洗濯物を収容する洗濯脱水槽と、
前記洗濯脱水槽の底部に回転自在に配置されるパルセータと、
前記洗濯脱水槽の側面部に形成され、前記パルセータの回転により送られてきた水が下から上へと流れる環流水路と、
前記環流水路に装着され、前記環流水路から前記洗濯脱水槽内に戻る水を流入口から取り込んで通過させ、通過した水に含まれる糸屑等を捕集するフィルタユニットと、を備え、
前記洗濯脱水槽は、胴部と、当該胴部の下部に取り付けられる底部とを含み、
前記フィルタユニットは、前記胴部と前記底部との間に跨るように前記洗濯脱水槽の下部に位置する、
ことを特徴とする洗濯機。
【請求項２】
請求項１に記載の洗濯機において、
前記フィルタユニットは、
前後方向の寸法が上下左右方向の寸法より小さなケース状を有し、
前記流入口が後面に形成されるとともに、取り込んだ水を流出させる流出口が前面に形成され、
前記流出口の内側に、水を通過させ糸屑等を止めるフィルタが配置される、
ことを特徴とする洗濯機。
【請求項３】
請求項１または２に記載の洗濯機において、
前記フィルタユニットは、前記還流水路に装着された状態において、前記洗濯脱水槽の側面側に倒れるよう傾く、
ことを特徴とする洗濯機。
【請求項４】
請求項１ないし３の何れか一項に記載の洗濯機において、
前記環流水路内に、前記流入口より上方に向かおうとする水の流れを当該流入口へ向かう流れに変える偏向体が設けられる、
ことを特徴とする洗濯機。
【請求項５】
請求項１ないし４の何れか一項に記載の洗濯機において、
前記環流水路の前記流入口より上流側では、少なくとも前記流入口の近傍において、前記洗濯脱水槽の側面から前記フィルタユニットに向かう方向の水路の幅が、前記流入口に近づくに従って徐々に小さくなる、
ことを特徴とする洗濯機。
【請求項６】
請求項２に記載の洗濯機において、
前記フィルタユニットは、前記流出口が形成された第１の部材と、前記流入口が形成された第２の部材とを含み、
前記第１の部材と前記第２の部材は、前後方向に分かれることが可能となるように連結され、
前記第２の部材には、前記流入口より上方の位置に、後方に張り出す庇状の突出体が設けられる、
ことを特徴とする洗濯機。
【発明の詳細な説明】
【技術分野】
【０００１】
本発明は、洗濯機に関する。
【背景技術】
【０００２】
従来、全自動洗濯機では、洗濯の際に洗濯物から出る糸屑や埃を捕集するための構造の一つとして、以下のリント捕集構造が採られている。
【０００３】
即ち、洗濯脱水槽の側面部に環流水路が形成され、環流水路にフィルタユニットが着脱自在に設けられる。環流水路はパルセータの側方に接続される。パルセータの裏面には羽根が設けられ、パルセータの回転時に裏面の羽根によって外周方向に押し出された水が環流水路内に導かれる。環流水路内に導かれた水は、環流水路内を上昇し、フィルタユニットを通じて洗濯脱水槽内に戻される。フィルタユニット内を水が通過する際、水に含まれる糸屑等がフィルタユニットに捕集される（特許文献１参照）。
【先行技術文献】
【特許文献】
【０００４】
【特許文献１】特開２０１３−１４１５５３号公報
【発明の概要】
【発明が解決しようとする課題】
【０００５】
上記のリント捕集構造では、運転コースや負荷量等の関係から、パルセータの回転数が低くなったり洗濯脱水槽の水位が低くなったりすると、パルセータの回転によって揚水できる高さ、即ち、水頭が低くなり、フィルタユニットを通過する水量が減って、糸屑等の捕集が良好に行えない虞が出てくる。
【０００６】
そこで、上記のリントフィルタ捕集構造が採られる場合には、水頭が低くなることが生じても糸屑等が良好に捕集されることが望まれる。
【課題を解決するための手段】
【０００７】
本発明の主たる態様に係る洗濯機は、洗濯物を収容する洗濯脱水槽と、前記洗濯脱水槽の底部に回転自在に配置されるパルセータと、前記洗濯脱水槽の側面部に形成され、前記パルセータの回転により送られてきた水が下から上へと流れる環流水路と、前記環流水路に装着され、前記環流水路から前記洗濯脱水槽内に戻る水を流入口から取り込んで通過させ、通過した水に含まれる糸屑等を捕集するフィルタユニットと、を備える。ここで、前記洗濯脱水槽は、胴部と、当該胴部の下部に取り付けられる底部とを含み、前記フィルタユニットは、前記胴部と前記底部との間に跨るように前記洗濯脱水槽の下部に位置する。
【０００８】
上記の構成によれば、フィルタユニットへ送り込むことができる循環水量をより多くすることができ、より多くの糸屑等を捕集することが可能となる。また、フィルタユニットに水を送り込むために必要な水頭を低く抑えることができると言うこともできる。これにより、パルセータの回転数が低い場合や洗濯脱水槽内の水位が低い場合であっても、フィルタユニットに十分に水を送り込むことができ、糸屑等の捕集を良好に行うことが可能となる。
【０００９】
本態様に係る洗濯機において、前記フィルタユニットは、前後方向の寸法が上下左右方向の寸法より小さなケース状を有し、前記流入口が後面に形成されるとともに、取り込んだ水を流出させる流出口が前面に形成され、前記流出口の内側に、水を通過させ糸屑等を止めるフィルタが配置される構成とされ得る。
【００１０】
上記の構成によれば、フィルタユニットを、前後方向に扁平なケース状に形成でき、洗濯脱水槽の内方へのフィルタユニットの張り出し量を抑えることができる。よって、フィルタユニットが、洗濯脱水槽の下部に配置されても、パルセータとの干渉を懸念しなくて済む。
【００１１】
本態様に係る洗濯機において、前記フィルタユニットは、前記還流水路に装着された状態において、前記洗濯脱水槽の側面側に倒れるよう傾く構成とされ得る。
【００１２】
上記の構成によれば、フィルタユニットが鉛直な状態で還流水路に装着される場合と比べて、流入口の高さ位置を同じくしたときに、フィルタユニットの上下方向の寸法を大きくでき、その分、糸屑等の収容容積を大きくすることが可能となる。
【００１３】
本態様に係る洗濯機において、前記環流水路内に、前記流入口より上方に向かおうとする水の流れを当該流入口へ向かう流れに変える偏向体が設けられる構成が採られ得る。
【００１４】
上記の構成によれば、還流水路内を流れる水を流入口へと円滑に導くことができる。
【００１５】
本態様に係る洗濯機において、前記環流水路の前記流入口より上流側では、少なくとも前記流入口の近傍において、前記洗濯脱水槽の側面から前記フィルタユニットに向かう方向の水路の幅が、前記流入口に近づくに従って徐々に小さくなる構成が採られ得る。
【００１６】
上記の構成によれば、流入口へ向かう水の流速が高められ、糸屑ごと水を勢いよく流入口に流入させることができる。
【００１７】
前記フィルタユニットがケース状に形成される構成が採られる場合に、さらに、前記フィルタユニットは、前記流出口が形成された第１の部材と、前記流入口が形成された第２の部材とを含む構成とされ得る。この場合、前記第１の部材と前記第２の部材は、前後方向に分かれることが可能となるように連結され、前記第２の部材には、前記流入口より上方の位置に、後方に張り出す庇状の突出体が設けられる。
【００１８】
上記の構成によれば、フィルタユニットが還流水路に装着された状態では、突出体によって還流水路内の水の流れを変えて、水を流入口へと円滑に導くことができる。また、フィルタユニットを還流水路から取り外して糸屑等を回収する際には、突出体を持ち手として利用することで、第１の部材と第２の部材とを容易に分かれさせることができる。
【発明の効果】
【００１９】
本発明によれば、糸屑等が良好に捕集できる洗濯機を提供することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施の形態に係る、全自動洗濯機の構成を示す側面断面図である。
【図２】実施の形態に係る、フィルタユニットが装着された還流水路の周辺部分が示された要部拡大断面図である。
【図３】実施の形態に係る、フィルタユニットの構成を示す図である。
【図４】実施の形態に係る、フィルタユニットの構成を示す図である。
【図５】実施の形態に係る、水路形成部材の構成を示す斜視図である。
【図６】変更例１に係る、フィルタユニットが装着された還流水路の周辺部分が示された要部拡大断面図である。
【図７】変更例２に係る、フィルタユニットが装着された還流水路の周辺部分が示された要部拡大断面図である。
【発明を実施するための形態】
【００２２】
以下、本発明の洗濯機の一実施形態である全自動洗濯機について、図面を参照して説明する。
【００２３】
図１は、全自動洗濯機１の構成を示す側面断面図である。
【００２４】
全自動洗濯機１は、外観を構成する筺体１０を備える。筺体１０は、上下の面が開放された方形筒状の胴体部１１と、胴体部１１の上面を覆う上面板１２と、胴体部１１を支持する脚台１３とを含む。上面板１２には、洗濯物の投入口１４が形成される。投入口１４は、開閉自在な上蓋１５により覆われる。
【００２５】
筺体１０内には、外槽２０が、防振装置を有する４本の吊棒２１により弾性的に吊り下げ支持される。外槽２０内には、洗濯脱水槽２２が配される。
【００２６】
洗濯脱水槽２２は、円筒状の胴部２２ａと浅い椀状の底部２２ｂとにより構成される。底部２２ｂは、胴部２２ａの下部にネジ止め等の固定方法を用いて取り付けられる。洗濯脱水槽２２の内周面には、多数の脱水孔２２ｃが形成される。また、洗濯脱水槽２２の底面には、複数の通水孔２２ｄが形成される。さらに、洗濯脱水槽２２の上部には、バランスリング２３が設けられる。
【００２７】
外槽２０の底部には、パルセータ２４が配される。パルセータ２４の表面には、表面中央から放射状に延びる複数の羽根２４ａが形成される。また、パルセータ２４の裏面には、裏面中央から放射状に延びる複数の揚水羽根２４ｂが形成される。これら揚水羽根２４ｂは、パルセータ２４の裏面と洗濯脱水槽２２の底面との間に形成されるポンプ室２５に配される。
【００２８】
洗濯脱水槽２２の内周面に沿って上下方向に延びる還流水路２６が、水路形成部材２７と洗濯脱水槽２２の胴部２２ａおよび底部２２ｂとによって形成される。還流水路２６の下端部は、ポンプ室２５に繋がる。還流水路２６、即ち、還流水路２６を構成する水路形成部材２７に、フィルタユニット２８が取り外し可能に装着される。フィルタユニット２８は、胴部２２ａと底部２２ｂとの間に跨るように、洗濯脱水槽２２の下部に位置する。また、フィルタユニット２８は、洗濯脱水槽２２の内周面側に倒れるよう傾く。
【００２９】
外槽２０の外底部には、洗濯脱水槽２２およびパルセータ２４を駆動するトルクを発生させる駆動ユニット３０が配される。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２４のみに伝達してパルセータ２４のみを回転させ、脱水工程では、駆動モータ３１のトルクをパルセータ２４および洗濯脱水槽２２に伝達してパルセータ２４および洗濯脱水槽２２を一体的に回転させる。また、伝達機構部３２は、減速機構を有する。洗い工程およびすすぎ工程では、駆動モータ３１の回転数が減速機構の減速比に従って低くされた回転数でパルセータ２４が回転する。
【００３０】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２２および外槽２０に溜められた水が排水ホース４１を通じて機外へ排出される。
【００３１】
上面板１２の後部には、水道水を洗濯脱水槽２２内に供給するための給水ユニット５０が配される。給水ユニット５０は、給水バルブ５１を有する。給水バルブ５１は、水道栓に接続される。給水バルブ５１が開放されると、水道栓から水道水が給水ユニット５０に導入される。導入された水道水は、給水ユニット５０の注水口５２から洗濯脱水槽２２内へ流出する。
【００３２】
全自動洗濯機１は、各種運転コースの洗濯運転を行う。洗濯運転は、洗い工程、中間脱水工程、すすぎ工程、最終脱水工程を含む。
【００３３】
洗い工程およびすすぎ工程では、洗濯脱水槽２２内に水が溜められた状態で、パルセータ２４が右方向および左方向に回転する。パルセータ２４の回転により洗濯脱水槽２２内に水流が発生する。洗い工程では、発生した水流と水に含まれる洗剤とにより洗濯物が洗われる。すすぎ工程では、発生した水流により洗濯物がすすがれる。
【００３４】
中間脱水工程および最終脱水工程では、洗濯脱水槽２２およびパルセータ２４が一体となって高速回転する。洗濯脱水槽２２に発生する遠心力の作用により、洗濯物が脱水される。
【００３５】
本実施の形態の全自動洗濯機１は、還流水路２６とフィルタユニット２８で構成されるリント捕集構造を特徴としており、以下、リント捕集構造について詳細に説明する。
【００３６】
図２は、フィルタユニット２８が装着された還流水路２６の周辺部分が示された要部拡大断面図である。図３および図４は、フィルタユニット２８の構成を示す図である。図３（ａ）は、フィルタユニット２８の前方斜視図であり、図３（ｂ）は、フィルタユニット２８の後方斜視図である。図４（ａ）は、閉鎖状態のフィルタユニット２８の側面断面図であり、図４（ｂ）は、開放状態のフィルタユニット２８の側面断面図である。図５は、水路形成部材２７の構成を示す斜視図である。
【００３７】
フィルタユニット２８は、上下左右方向の寸法に比べて前後方向の寸法が小さく、前後方向に扁平なケース状を有している。フィルタユニット２８は、後方に開放した前ケース１１０と前方に開放した後ケース１２０とを含む。前ケース１１０は、本発明の第１の部材に相当し、後ケース１２０は、本発明の第２の部材に相当する。
【００３８】
前ケース１１０と後ケース１２０は、前ケース１１０の内側に後ケース１２０が嵌まり込むようにして前後方向に重ね合わされ、これにより、フィルタユニット２８の内部に、糸屑等が溜められる収容部１３０が形成される。後ケース１２０の下部両側に形成された軸部１２１は、前ケース１１０の下部両側に形成された軸孔１１１に回転自在に支持される。図４（ｂ）のごとく、後ケース１２０が軸部１２１を中心に後方へ回動すると、前ケース１１０と後ケース１２０とが開いた状態となる。
【００３９】
前ケース１１０の前面には、流出口１１２が形成される。流出口１１２は、縦横に配列された多数の流出孔１１２ａによって構成される。流出口１１２の内側に、メッシュ地のシートからなるフィルタ１１３が貼り付けられ、各流出孔１１２ａがフィルタ１１３で覆われる。
【００４０】
前ケース１１０の上端部には係合爪部１１４が形成される。係合爪部１１４は、下方に撓むことが可能な本体部１１４ａと、本体部１１４ａから上方に突出した爪部１１４ｂとを含む。前ケース１１０の下端部には、下方に突出する、左右方向に細長い取付リブ１１５が形成される。
【００４１】
後ケース１２０の後面には、上部に横長の長方形状に形成された流入口１２２が形成される。流入口１２２の上縁部には、庇状の突出片１２３が形成される。突出片１２３は、流入口１２２の横幅とほぼ同じ幅を有し、前ケース１１０の側面よも後方に張り出す。突出片１２３は、本発明の偏向体および突出体に相当する。
【００４２】
水路形成部材２７には、フィルタユニット２８に対応する形状に大きく開口する装着口部２０１が形成される。装着口部２０１は、やや傾くように形成され、やや上向きとなる。装着口部２０１の周縁部２０２は、その周囲よりも少し窪んでいる。周縁部２０２の上部には、装着口部２０１内に僅かに張り出す係合片２０３が形成される。周縁部２０２の下部には、前ケース１１０の取付リブ１１５に対応するリブ受口２０４が形成される。
【００４３】
水路形成部材２７の下端部には、円弧状の溝部２０５が形成される。この溝部２０５は、水路形成部材２７が洗濯脱水槽２２内に取り付けられると、洗濯脱水槽２２の底部２２ｂに形成される、図示しない環状溝部の一部となる。図２に示すように、パルセータ２４の外周縁に形成される環状リブ２４ｃが、溝部２０５を含む環状溝部に挿入される。
【００４４】
図２に示すように、フィルタユニット２８は、水路形成部材２７の装着口部２０１に装着される。前ケース１１０の前端部は、図３（ｂ）に示すように、その上部と両側部が他の部位より外側に張り出しており、この張り出し部分が装着口部２０１の周縁部２０２に嵌まり込むことで、フィルタユニット２８が上下左右方向および後方向に動かないよう固定される。また、係合爪部１１４の爪部１１４ｂが係合片２０３の裏側に係合するとともに取付リブ１１５がリブ受口２０４に嵌まり込むことにより、フィルタユニット２８が前方へ動かないように固定される。
【００４５】
ここで、フィルタユニット２８を装着口部２０１に装着する際、ユーザは、まず、フィルタユニット２８の下端の取付リブ１１５をリブ受口２０４に嵌め込む。次に、ユーザは、爪部１１４ｂが係合片２０３より低くなるように係合爪部１１４を下方に撓ませながら、フィルタユニット２８の上部を後方に移動させる。そして、ユーザは、フィルタユニット２８が装着口部２０１に完全に装着されて爪部１１４ｂが係合片２０３の裏側に達すると、係合爪部１１４の撓みを開放して、爪部１１４ｂを係合片２０３に係合させる。
【００４６】
フィルタユニット２８が水路形成部材２７、即ち、還流水路２６に装着された状態において、フィルタユニット２８の突出片１２３の先端は、還流水路２６の後面を構成する洗濯脱水槽２２の内周面に近接する。また、フィルタユニット２８の流入口１２２よりも還流水路２６内の上流側では、後ケース１２０の後面と洗濯脱水槽２２の内周面とで規定される還流水路２６の前後方向の幅Ｗが、流入口１２２の近傍の領域を含む、洗濯脱水槽２２の胴部２２ａの絞り部２２ｅよりも上側の領域において、流入口１２２に近づく従い徐々に小さくなるよう絞られている。
【００４７】
次に、図１および図２を参照して、フィルタユニット２８による糸屑等の捕集動作について説明する。
【００４８】
洗い工程またはすすぎ工程において、パルセータ２４が回転すると、揚水羽根２４ｂによるポンプ作用によって、洗濯脱水槽２２と外槽２０との間の水が通水孔２２ｄを通じてポンプ室２５内に吸い込まれ、外周方向に押し出される。押し出された水は、還流水路２６内に導かれ、還流水路２６内を上昇し、流入口１２２を通ってフィルタユニット２８の収容部１３０内に流入する。この際、水の中に含まれる糸屑等も収容部１３０内に流入する。
【００４９】
流入口１２２の上方には突出片１２３が張り出しており、還流水路２６内を流入口１２２よりも上方に向かおうとする水の流れが、この突出片１２３によって流入口１２２へ向かう流れに変えられる。これにより、還流水路２６内を上昇する水が流入口１２２へと円滑に導かれる。さらに、流入口１２２の近傍では、還流水路２６の前後方向の幅Ｗが徐々に小さくなるように絞られているため、流入口１２２へ向かう水の流速が高められる。これにより、糸屑ごと水を勢いよく流入口１２２に流入させることができる。
【００５０】
フィルタユニット２８の収容部１３０内に流入した水は、フィルタ１１３および流出口１１２の各流出孔１１２ａを通って洗濯脱水槽２２内に流出する。この際、糸屑等は、フィルタ１１３を通過できずに収容部１３０内に留まる。
【００５１】
洗濯運転が繰り返されている間に、フィルタユニット２８の収容部１３０内に糸屑等が溜まっていく。ユーザは、フィルタユニット２８を還流水路２６から取り外し、一方の手で前ケース１１０を掴み、他方の手で後ケース１２０の突出片１２３を持って後方に引く。図４（ｂ）のように、前ケース１１０と後ケース１２０とが開いた状態となり、ユーザは、フィルタユニット２８内から糸屑等を取り出して廃棄することができる。
【００５２】
＜本実施の形態の効果＞
以上、本実施の形態によれば、フィルタユニット２８が、胴部２２ａと底部２２ｂとの間に跨るように洗濯脱水槽２２の下部に位置する構成とされているので、ポンプ室２５による水頭が同じ場合でもフィルタユニット２８に送り込むことができる水量を増やすことができ、この結果より多くの糸屑等を捕集することが可能となる。また、別の言い方をすればフィルタユニット２８に水を送り込むために必要な水頭を低く抑えることができるとも言える。これにより、パルセータ２４の回転数が低い場合や洗濯脱水槽２２内の水位が低い場合であっても、フィルタユニット２８に十分に水を送り込むことができ、糸屑等の捕集を良好に行うことが可能となる。
【００５３】
また、本実施の形態によれば、フィルタユニット２８が、前後方向に扁平なケース状に形成されているため、洗濯脱水槽２２の内方へのフィルタユニット２８の張り出し量を抑えることができる。このため、フィルタユニット２８が、洗濯脱水槽２２の下部に配置されても、パルセータ２４との干渉を懸念しなくて済む。
【００５４】
さらに、本実施の形態によれば、フィルタユニット２８が、洗濯脱水槽２２の内周面に向かって斜めに倒れた状態となるように還流水路２６に装着される。このため、鉛直な状態で装着される場合と比べて、流入口１２２の高さ位置を同じくしたときに、フィルタユニット２８の上下方向の寸法を大きくでき、その分、糸屑等の収容容積を大きくすることが可能となる。また、図２に示すように、洗濯脱水槽２２の構造上、胴部２２ａの内径に比べて底部２２ｂの内径が小さくなっても、フィルタユニット２８の下部が、上部に比べて洗濯脱水槽２２のより内側に位置することになるため、水路形成部材２７と底部２２ｂとで構成される還流水路２６の部分が狭くなることを抑制できる。
【００５５】
さらに、フィルタユニット２８には、流入口１２２の上方位置に突出片１２３が設けられているので、フィルタユニット２８が還流水路２６に装着された状態では、突出片１２３によって還流水路２６内の水の流れを変えて、水を流入口１２２へと円滑に導くことができる。また、フィルタユニット２８を還流水路２６から取り外して糸屑等を回収する際には、突出片１２３を持ち手として利用することで、前ケース１１０と後ケース１２０とを容易に開放することができる。
【００５６】
さらに、本実施の形態によれば、還流水路２６の前後方向の幅Ｗが、少なくとも流入口１２２の近傍において、流入口１２２に近づく従い徐々に小さくなるよう絞られている。これにより、流入口１２２へ向かう水の流速が高められ、糸屑ごと水を勢いよく流入口１２２に流入させることができ、糸屑等の捕集効果が高まることが期待される。
【００５７】
以上、本発明の実施の形態について説明したが、本発明は、上記実施の形態等によって何ら制限されるものではなく、また、本発明の実施の形態も、上記以外に種々の変更が可能である。
【００５８】
＜変更例１＞
図６は、変更例１に係る、フィルタユニット２８Ａが装着された還流水路２６Ａの周辺部分が示された要部拡大断面図である。
【００５９】
フィルタユニット２８Ａおよび還流水路２６Ａを構成する水路形成部材２７Ａについて、上記実施の形態のフィルタユニット２８および水路形成部材２７と同じ構成には、同じ符号を付し、説明を省略する。
【００６０】
フィルタユニット２８Ａには、流入口１２２の上方に突出片が設けられていない。代わりに、水路形成部材２７Ａには、流入口１２２の上部後方に、左右に延びる偏向板２０６が形成される。偏向板２０６の左右の幅は、流入口１２２の左右の幅と同等あるいはそれ以上とされることが望ましい。偏向板２０６の後端は、洗濯脱水槽２２の内周面に近接する。偏向板２０６は、本発明の偏向体に相当する。
【００６１】
このような構成とした場合も、上記実施の形態と同様、偏向板２０６によって還流水路２６Ａ内の水の流れを変えることにより、水を流入口１２２へと円滑に導くことができる。
【００６２】
＜変更例２＞
上記実施の形態では、内部に糸屑等が溜められるケース状のフィルタユニット２８が用いられる。しかしながら、以下に説明するように、袋体のリントフィルタ３０４を備えるフィルタユニット２８Ｂが用いられてもよい。
【００６３】
図７は、変更例２に係る、フィルタユニット２８Ｂが装着された還流水路２６Ａの周辺部分が示された要部拡大断面図である。
【００６４】
本変更例では、変更例１と同じ水路形成部材２７Ａが用いられる。水路形成部材２７Ａ、即ち、還流水路２６Ａに、フィルタユニット２８Ｂが装着される。
【００６５】
フィルタユニット２８Ｂは、上下方向に長い流入口３０２を後面に有するフィルタケース３０１を備える。フィルタケース３０１の前面には開口部３０３が形成され、この開口部３０３にメッシュ地の袋体からなるリントフィルタ３０４が取り付けられる。フィルタケース３０１の上端部には、上記実施の形態の係合爪部１１４と同様の係合爪部３０５が形成される。係合爪部３０５は、本体部３０５ａと爪部３０５ｂとを含み、爪部３０５ｂが水路形成部材２７Ａの係合片２０３に係合する。また、フィルタケース３０１の下端部には、上記実施の形態の取付リブ１１５と同様の取付リブ３０６が形成され、この取付リブ３０６が水路形成部材２７Ａのリブ受口２０４に嵌め込まれる。
【００６６】
本変更例の構成では、還流水路２６Ａから流入口３０２を通ってフィルタケース３０１に流入した水は、さらに、リントフィルタ３０４を通って洗濯脱水槽２２内に流出する。水に含まれる糸屑等は、リントフィルタ３０４内に溜められる。
【００６７】
本変更例の構成では、フィルタユニット２８Ａは、リントフィルタ３０４の先端側が高くなるように傾いているので、パルセータ２４へのリントフィルタ３０４の接触を避けることができる。
【００６８】
＜その他の変更例＞
上記実施の形態では、前ケース１１０と後ケース１２０とが下端部にて回動自在に連結され、後ケース１２０が後方に回動することで、前ケース１１０と後ケース１２０とが開放される。しかしながら、前ケース１１０と後ケース１２０とが分かれる形態は如何なるものであってもよく、たとえば、前ケース１１０と後ケース１２０とが、完全に前後方向に分かれる形態が採られてもよい。
【００６９】
また、上記実施の形態では、後方に開放する前ケース１１０と前方に開放する後ケース１２０とを合わせることにより、ケース状のフィルタユニット２８が形成される。しかしながら、ケース状のフィルタユニットの構成は、上記のものに限られない。たとえば、後面が開放するケースと、後面を覆う蓋体によりフィルタユニットが構成されてもよい。
【００７０】
上記実施の形態では、水路形成部材２７は、バランスリング２３の位置まで上方に延びており、図示していないが、バランスリング２３と結合されている。しかしながら、水路形成部材２７の装着口部２０１よりも上方の部位は、還流水路２６として機能していないため、これら上方の部位がなくされてもよい。
【００７１】
上記実施の形態の全自動洗濯機１は、乾燥機能を備えていないが、本発明は、乾燥機能を備えた全自動洗濯機に適用することもできる。
【００７２】
この他、本発明の実施の形態は、特許請求の範囲に示された技術的思想の範囲内において、適宜、種々の変更が可能である。
【符号の説明】
【００７３】
２２  洗濯脱水槽
２２ａ  胴部
２２ｂ  底部
２４  パルセータ
２６  還流水路
２６Ａ  還流水路
２７  水路形成部材
２７Ａ  水路形成部材
２８  フィルタユニット
２８Ａ  フィルタユニット
２８Ｂ  フィルタユニット
１１０  前ケース（第１の部材）
１１２  流出口
１１３  フィルタ
１２０  後ケース（第２の部材）
１２２  流入口
１２３  突出片（偏向体、突出体）
２０６  偏向板（偏向体）
【図１】
2016137154.tif 000003
【図２】
2016137154.tif 000004
【図３】
2016137154.tif 000005
【図４】
2016137154.tif 000006
【図５】
2016137154.tif 000007
【図６】
2016137154.tif 000008
【図７】
2016137154.tif 000009